(57)【要約】【課題】  本発明は、次の目的の達成を課題とする。  第１に、分割された芯材（パーツ）の接する部分に段差やくぼみを生じさせず、使用者が違和感を感じることのない枕とする。  第２に、正確な場所に素材の異なる芯材（パーツ）や硬さの異なる芯材（パーツ）を位置させることを可能にする枕とする。【解決手段】  本発明は、課題を解決するため複合枕に下記の手段を採用する。  第１に、中央パーツと中央パーツを面対偶にて挟む挟装パーツに分割する。  第２に、各パーツを接触面にて接触して並設した複合枕とする。  第３に、中央パーツと挟装パーツを異なる硬さ又は素材とする。  第４に、中央パーツ及び挟装パーツの接触面は斜めに形成される。【選択図】        図１
2005334418.tif 000002
【特許請求の範囲】
【請求項１】
中央パーツと中央パーツを面対偶にて挟む挟装パーツとに分割された各パーツが、接触面にて接触して並設された複合枕において、中央パーツと挟装パーツとを異なる硬さ又は素材とすると共に、中央パーツ及び挟装パーツの接触面が、斜めに形成されたことを特徴とする複合枕。
【請求項２】
中央パーツと中央パーツを面対偶にて挟む左右の挟装パーツとに分割された各パーツが、接触面にて接触して並設された複合枕において、中央パーツと挟装パーツを異なる硬さ又は素材とすると共に、中央パーツに接する左右の挟装パーツの接触面が中央パーツの下部に入り込むように傾斜し、これと対応する中央パーツの接触面が挟装パーツの接触面を覆うように傾斜したことを特徴とする複合枕。
【請求項３】
中央パーツを、首側パーツと首側パーツと面対偶にて接する頭頂側パーツとに分割し、両パーツを異なる硬さ又は素材とすると共に、接触面にて接触して並接する首側パーツと頭頂側パーツの接触面が、斜めに形成されたことを特徴とする請求項２記載の複合枕。
【発明の詳細な説明】
【技術分野】
【０００１】
本発明は、複数（正確には３以上）に分割されたパーツを組み合わせてなる複合枕に関するものであり、主として各パーツの硬さ又は素材を異ならせることにより枕としてのフィット感や機能を向上させることを目的とする複合枕を主眼に開発されたものである。
【背景技術】
【０００２】
枕は、フィット感やその他の機能を向上させるため、必要に応じた箇所に異なる素材を用いたり硬さを異ならせたりすることが必要である。一体成型の枕は、ウレタン系を中心とする樹脂を用いたもの、ゴム系などの天然素材を用いたもの、形を保てる構造の枕ケースに液体系素材、ゲル系素材、気体系素材を入れたもの等が存在するが、このような枕にあっては、正確な場所に素材の異なるものや硬さの異なるものを位置させることは非常に困難である。
【０００３】
素材の異なるものや硬さの異なるものを正確な場所に位置させるため、特許文献１及び２に示されるように枕芯材を複数に分割し、これを所望箇所に配置した上で並設する複合枕や、特許文献３に示されるように枕ケース内に複数の室を形成し、そこに芯材を入れた枕が提供されてきた。
【０００４】
しかし、特許文献１のように分割された芯材を垂直方向に重ねたのでは、異なる素材や硬さの分布領域を正確かつ細かく設定することはできず、一体成型の枕と大差がない。又、特許文献２のように分割された芯材を水平方向に並べた場合や特許文献３のように複数の室を並設し、そこに芯材を入れたものでは、正確かつ細かい設定が可能ではあるが、隣接する分割された芯材との接触面がほぼ垂直であるので、硬さが異なる場合には段差が生じたり、使用により分割された芯材同士が離れてくぼみが生じたりして違和感を感じるという難点があった。
【０００５】
【特許文献１】特開平１１−０５６５６２号公報
【特許文献２】特開２００３−１４４２８６号公報
【特許文献３】特開２００３−１８０４９９号公報
【発明の開示】
【発明が解決しようとする課題】
【０００６】
本発明は前記難点を解決し、次の目的を達成しようとするものである。
第１に、分割された芯材（パーツ）の接する部分に段差やくぼみを生じさせず、使用者が違和感を感じることのない枕とする。
第２に、正確な場所に素材の異なる芯材（パーツ）や硬さの異なる芯材（パーツ）を位置させることのできる枕とする。
【課題を解決するための手段】
【０００７】
上記課題を解決するため、請求項１記載の発明は、中央パーツと中央パーツを面対偶にて挟む挟装パーツとに分割された各パーツが、接触面にて接触して並設された複合枕において、中央パーツと挟装パーツとを異なる硬さ又は素材とすると共に、中央パーツ及び挟装パーツの接触面が斜めに形成されたことを特徴とする複合枕を提供する。請求項１記載の複合枕にあっては、挟装パーツが、中央パーツの左右に並設されたもののみならず、上下に並設されたものも含まれる。
【０００８】
請求項２記載の発明は、中央パーツと中央パーツを面対偶にて挟む左右の挟装パーツとに分割された各パーツが、接触面にて接触して並設された複合枕において、中央パーツと挟装パーツを異なる硬さ又は素材とすると共に、中央パーツに接する左右の挟装パーツの接触面が中央パーツの下部に入り込むように傾斜し、これと対応する中央パーツの接触面が挟装パーツの接触面を覆うように傾斜したことを特徴とする複合枕を提供する。すなわち、請求項２記載の複合枕は挟装パーツが中央パーツの左右に並設された場合であって、両パーツの接触面の傾斜方向を限定したものである。
【０００９】
請求項３記載の発明は、請求項２記載の複合枕の改良に関するものであって、請求項２記載の複合枕の解決手段に次の手段を付加したものである。
【００１０】
中央パーツを、首側パーツと首側パーツと面対偶にて接する頭頂側パーツとに分割し、両パーツを異なる硬さ又は素材とする共に、接触面にて接触して並設する首側パーツと頭頂側パーツの接触面が斜めに形成される。
【発明の効果】
【００１１】
請求項１記載の発明は、中央パーツと中央パーツを面対偶にて挟む挟装パーツとに分割された各パーツが、接触面にて接触して並設された複合枕において、中央パーツ及び挟装パーツの接触面が斜めに形成されたものであるので、隣接するパーツの一方の隣接部分が、他方のパーツの隣接部分と重なり合うため、異なる硬さ、又は素材のものを用いた場合でも段差を生じさせず、使用者が合わせ目を感じることのない複合枕となった。
【００１２】
また、中央パーツと挟装パーツとが、異なる硬さ又は素材とされているので、中央パーツと挟装パーツの重なりにより、単一芯材では醸し出すことができない複合枕の使用感を味わうことや、硬さや素材を異ならせたパーツを用いた結果生ずる機能を利用することが可能となった。
【００１３】
請求項２記載の発明は、挟装パーツを左右に位置させ、中央パーツに接する左右の挟装パーツの接触面が中央パーツの下部に入り込むように傾斜し、これと対応する中央パーツの接触面が挟装パーツの接触面を覆うように傾斜したものであるため、中央パーツの接触面の上部が、挟装パーツの下部から斜めに重なり合い、段差を生じさせず、使用者が合わせ目を感じることのない複合枕となった。
【００１４】
更に、頭部の荷重が複合枕の中央に掛かることにより、中央パーツは、上部から下部に位置した挟装パーツの接触部分を押圧するため、中央パーツと挟装パーツがしっかり固定され、簡易な固定方法でもずれるおそれがなくなった。
【００１５】
請求項３記載の発明は、中央パーツを、首側パーツと首側パーツと面対偶にて接する頭頂側パーツとに分割し、両パーツを異なる硬さ又は素材とする共に、接触面にて接触して並接する首側パーツと頭頂側パーツの接触面が斜めに形成されたものであるため、首側パーツと頭頂側パーツの段差を感ずることなく、首や頸椎を保護する複合枕を作製することも容易となった。
【発明を実施するための最良の形態】
【００１６】
以下、図面に従って、実施例と共に本発明を実施するための最良の形態について説明する。図１は、第１実施例に係る複合枕を示す斜視図であり、図２は、同分解斜視図であり、図３は、同平面図であり、図４は同正面図である。
【００１７】
第１実施例に係る複合枕は、請求項１及び２に対応する実施例であり、中央パーツ１と中央パーツ１を面対偶にて挟む左挟装パーツ２と右挟装パーツ３とに分割されている。
【００１８】
中央パーツ１と左右の挟装パーツ２，３とは、異なる硬さ又は素材で形成される。実施例では、硬さの異なる低反発ウレタンを利用している。硬さを複合枕使用時に人の頭の重さにより沈む割合で表して説明すると、中央パーツ１に沈み率６０パーセントの柔らかめの低反発ウレタンを用い、左右の挟装パーツ２，３に沈み率２０パーセントの硬めの低反発ウレタンを用いて異なる硬さを実現している。この硬さの組み合わせは一例であって、他の設定が可能であることは、勿論である。
【００１９】
尚、実施例のように硬さの異なる同一素材を用いる場合には、ウレタン系やポリエチレン系の樹脂素材やゴム系の自然素材が適している。
【００２０】
実施例では中央パーツ１及び左右の挟装パーツ２，３は、一体形成のものを利用しているが、各パーツ１，２，３の形状のケース内に、充填されるに適した素材である羽毛、絹綿、樹脂チップ、檜等の木材チップ、クッション材、そば殻、茶葉等が充填されたものを用いることも可能である。
【００２１】
中央パーツ１及び左右挟装パーツ２，３の接触面４，５，６，７は斜めに形成されている。すなわち、中央パーツ１に接する左右の挟装パーツの接触面６，７を中央パーツ１の下部に入り込むように傾斜させ、これと対応する中央パーツ１の接触面４，５を左右の挟装パーツ２，３の接触面６，７を覆うように傾斜させたものである。尚、左右の挟装パーツ２，３の接触面６，７が中央パーツ１の下部に入り込むように傾斜しているとき、中央パーツ１が、周囲の形状に合わせてその形状を変化させることができる素材であれば、中央パーツ１の接触面４，５は、左右の挟装パーツ２，３の接触面６，７に規制され、該接触面６，７を覆うように自然に斜めに形成されるため、あらかじめ接触面４，５を定型的に傾斜固定させたものでなくても良い。
【００２２】
接触面４，５，６，７は、実施例では平滑な平面で形成されているが、図５（Ａ），（Ｂ）に示されるように左右で合致する曲面波形や、図５（Ｃ），（Ｄ）に示されるように左右で合致する角面波形に形成させたものであっても良い。
【００２３】
中央パーツ１と左右の挟装パーツ２，３は、左挟装パーツ３の接触面６と中央パーツ１の接触面４及び右挟装パーツ３の接触面７と中央パーツ１の接触面５を接触させて並設されている。中央パーツ１と左右の挟装パーツ２，３は、通常接着剤等で接着されている。勿論、内側で区分された枕ケース等に入れる場合や、接触面４，６及び接触面５，７が嵌め合わせ状態で接している場合には、非接着状態でも良い場合があるのは、勿論である。
【００２４】
図６は、第２実施例に係る複合枕を示す斜視図であり、図７は、同平面図である。第２実施例に係る複合枕は請求項１にのみ対応する実施例であり、横長中央パーツ８と横長中央パーツ８を面対偶にて挟む首側挟装パーツ９と頭頂側挟装パーツ１０とに分割されている。第１実施例の挟装パーツ２，３が左右より中央パーツ１を挟んで並設しているのに対し、第２実施例は横長中央パーツ８を使用時における首側と頭頂側（図６及び図７では上下）より挟んで並設したものである。
【００２５】
横長中央パーツ８と首側及び頭頂側挟装パーツ９，１０の素材は第１実施例と同様で第２実施例でも、硬さの異なる低反発ウレタンを利用している。硬さを複合枕使用時に人の頭の重さにより沈む割合で表して説明すると、中央パーツ１に沈み率６０パーセントの柔らかめの低反発ウレタンを用い、首側及び頭頂側挟装パーツ９に沈み率４０パーセントのやや硬めの低反発ウレタンを用いて異なる硬さを実現している。この硬さの組み合わせは一例であって、他の設定が可能であることは、勿論である。
【００２６】
横長中央パーツ８及び首側及び頭頂側挟装パーツ９，１０の接触面も斜めに形成されている。すなわち、横長中央パーツ１に接する首側及び頭頂側挟装パーツ９，１０の接触面を横長中央パーツ８の下部に入り込むように傾斜させ、これと対応する横長中央パーツ８の接触面を首側及び頭頂側挟装パーツ９，１０の接触面を覆うように傾斜させたものである。その他、第２実施例の接触面の形状や接触状態なども第１実施例と同様である。
【００２７】
図８は、第３実施例に係る複合枕を示す斜視図であり、図９は、同分解斜視図であり、図１０は、左右挟装パーツと首側中央パーツ部分の横断面図であり、図１１は、首側中央パーツと頭頂側中央パーツ部分の縦断面図である。第３実施例に係る複合枕は、請求項３に対応する実施例であり、更に枕としての各辺に丸みをつけると共に、第１実施例における中央パーツ１を、首側中央パーツ１１と頭頂側中央パーツ１２に分解し、首側及び頭頂側中央パーツ１１，１２を左右方向の中央で下方に向かうよう湾曲させた平面とした上、左挟装パーツ２２と右挟装パーツ２３とで挟んで並設したものである。
【００２８】
首側及び頭頂側中央パーツ１１，１２及び左右の挟装パーツ２２，２３の素材は第１実施例や第２実施例と同様で、硬さの異なる低反発ウレタンを利用している。硬さを複合枕使用時に人の頭の重さにより沈む割合で表して説明すると、頭頂側中央パーツ１２に沈み率６０パーセントの柔らかめの低反発ウレタンを用い、首側中央パーツ１１に沈み率４０パーセントのやや硬めの低反発ウレタンを用い、更に左右の挟装パーツ２２，２３には沈み率２０パーセントの硬めの低反発ウレタンを用いて異なる硬さを実現している。この硬さの組み合わせは一例であって、他の設定が可能であることは、勿論である。
【００２９】
首側中央パーツ１１と頭頂側中央パーツ１２との接触面１３，１４は、斜めに形成されている。すなわち、頭頂側中央パーツ１２に接する首側中央パーツ１１の接触面１３を頭頂側中央パーツ１２の下部に入り込むように傾斜させ、これと対応する頭頂側中央パーツ１２の接触面１４を首側中央パーツ１１の接触面１３を覆うように傾斜させたものである。
【００３０】
更に、首側及び頭頂側中央パーツ１１，１２の左右の挟装パーツ２２，２３との接触面１５，１６，１７，１８も斜めに形成されている。勿論、左右の挟装パーツ２２，２３の接触面１９，２０もこれに対応して斜めに形成されている。すなわち、首側及び頭頂側中央パーツ１１，１２に接する左右の挟装パーツ２２，２３の接触面１９，２０を首側及び頭頂側中央パーツ１１，１２の下部に入り込むように傾斜させ、これと対応する首側及び頭頂側中央パーツ１１，１２の接触面１５，１６，１７，１８を左右の挟装パーツ２２，２３の接触面１９，２０を覆うように傾斜させたものである。その他、第３実施例の接触面の形状や接触状態などは第１実施例と同様である。
【００３１】
図１２は、第４実施例に係る複合枕を示す斜視図であり、図１３は、同分解斜視図である。第４実施例に係る複合枕は、第３実施例に係る複合枕と同様に請求項３に対応する実施例である。第４実施例の構成は、第３実施例の構成とほぼ同様であるが、首側中央パーツ１１と頭頂側中央パーツ１２の高さ及び左右方向の幅を異ならせたものである。すなわち、首側中央パーツ１１は図１２及び図１３に表れるように、頸椎保護の観点より頭頂側中央パーツ１２より若干高く、かつ左右方向幅広に形成されたものである。首側中央パーツ１１と頭頂側中央パーツ１２の形状の相違により、接触面は第３実施例のような均一傾斜面ではなく、異なる傾斜形状を有する傾斜面となっている。
【００３２】
図１４は、第３及び第４実施例の使用状態の説明図で、（Ａ）は、仰向きでの複合枕の使用状態を示す図、（Ｂ）は、横向きへの移動時を示す図、（Ｃ）は、横向きでの複合枕の使用状態を示す図であり、図１５は、同実施例における複合枕の使用状態と頸椎状態の関係を示す説明図で、（Ａ）は、仰向きの状態を示す図、（Ｂ）は、横向きの状態を示す図である。
【００３３】
図１４（Ａ）及び図１５（Ａ）は、仰向きの状態での使用を示している。このとき、枕の中央に頭部を置いていれば、頭部は頭頂側中央パーツ１２上に位置し、首部は首側中央パーツ１１上に位置している。このとき、首側中央パーツ１１は沈み率４０パーセントのやや硬めの低反発ウレタンであり、頭頂部側中央パーツ１２は沈み率６０パーセントの柔らかめの低反発ウレタンであるため、首側中央パーツ１１が深く沈むことなく首部を保持するため、枕使用により頸椎を痛めることがなくなった。
【００３４】
また、横向きに枕を使用する場合、頸椎保護の観点からは仰向きの場合より頭部の位置を高く保持することが好ましい。第３及び第４実施例に係る複合枕は、左右の挟装パーツ２２，２３が沈み率２０パーセントの硬めの低反発ウレタンを利用しているため、図１４（Ｃ）及び図１５（Ｂ）に表れるように、頭部の重さによる沈みが少なく、仰向きの場合より頭部を高く保持することができる。このため、図１５（Ｂ）のように頸椎をまっすぐにした状態で枕を使用することができる。
【００３５】
仰向きより横向きに変化する際（勿論、逆の場合も同様）、図１４（Ｂ）に示されるように、柔らかめの頭頂側中央パーツ１２から硬めの左右の挟装パーツ２２，２３に移動するのであるが、両パーツの接触面が斜めに形成されている上、左右の挟装パーツ２２，２３が頭頂側中央パーツ１２の下方へと進入しているため、使用者が両パーツの境目を感じることがない。これは中央より左右に対して硬めのパーツ部分が徐々に増えていくためである。
【図面の簡単な説明】
【００３６】
【図１】第１実施例に係る複合枕の斜視図
【図２】同分解斜視図
【図３】同平面図
【図４】同正面図
【図５】接触面を示す説明図で、（Ａ），（Ｂ）は曲面波形の接触面を示し、（Ｄ），（Ｆ）は角面波形の接触面を示す。
【図６】第２実施例に係る複合枕の斜視図
【図７】同平面図
【図８】第３実施例に係る複合枕の斜視図
【図９】同分解斜視図
【図１０】左右挟装パーツと首側中央パーツ部分の横断面図
【図１１】首側中央パーツと頭頂側中央パーツ部分の縦断面図
【図１２】第４実施例に係る複合枕の斜視図
【図１３】同分解斜視図
【図１４】使用状態の説明図で、（Ａ）は、仰向きでの複合枕の使用状態を示す図で、（Ｂ）は、横向きへの移動時を示す図で、（Ｃ）は、横向きでの複合枕の使用状態を示す図である。
【図１５】複合枕の使用状態と頸椎状態の関係を示す説明図で、（Ａ）は、仰向きの状態を示す図で、（Ｂ）は、横向きの状態を示す図である。
【符号の説明】
【００３７】
１．．．．．．．．．中央パーツ
２．．．．．．．．．左挟装パーツ
３．．．．．．．．．右挟装パーツ
４，５．．．．．接触面
６，７．．．．．接触面
８．．．．．．．．．横長中央パーツ
９．．．．．．．．．首側挟装パーツ
１０．．．．．．．．頭頂側挟装パーツ
１１．．．．．．．．首側中央パーツ
１２．．．．．．．．頭頂側中央パーツ
１３，１４，１５，１６，１７，１８．．．．．．．．接触面
１９，２０．．．．．．．．接触面
２２．．．．．．．．左挟装パーツ
２３．．．．．．．．右挟装パーツ
【図１】
2005334418.tif 000003
【図２】
2005334418.tif 000004
【図３】
2005334418.tif 000005
【図４】
2005334418.tif 000006
【図５】
2005334418.tif 000007
【図６】
2005334418.tif 000008
【図７】
2005334418.tif 000009
【図８】
2005334418.tif 000010
【図９】
2005334418.tif 000011
【図１０】
2005334418.tif 000012
【図１１】
2005334418.tif 000013
【図１２】
2005334418.tif 000014
【図１３】
2005334418.tif 000015
【図１４】
2005334418.tif 000016
【図１５】
2005334418.tif 000017